(57)【要約】  【課題】  複数の撮影機器で同一のシナリオに沿って撮影した複数のコンテンツに対して、同一のテーマでかつ同一撮影時刻に撮影されたコンテンツ同士のみで関連付けを行って、同一画面内に同時に表示することができ、異なる撮影テーマに設定されて撮影された同一撮影時刻のコンテンツ同士を同一画面内に同時に表示することを回避することができる表示装置の提供。  【解決手段】  複数の撮影機器にて同一時刻にシナリオに沿って撮影されたコンテンツを再生する場合は、異なるシナリオテーマで撮影されたコンテンツであれば同時再生を行わず、現状再生しているコンテンツのみ再生する方法に切り替える。【選択図】  図1
2012156756.tif 000002
【特許請求の範囲】
【請求項１】
画像情報を表示する表示部
画像情報を再生する再生手段
画像情報を読み出す読み出し手段
画像情報の撮影日時情報を検出する撮影日時情報検出手段
複数の画像情報から前記撮影日時情報検出手段にて検出した撮影日時情報が同一、または、重複する部分が存在するかどうかを判定する撮影日時情報判定手段
複数画像情報対して、前記撮影日時情報判定手段にて撮影日時情報が同一、または、重複する部分が存在した場合、同一または重複する時間帯のみ、前記撮影日時情報判定手段にて判定された複数画像を前記表示部に同時に表示する表示手段
ある撮影規則に基づいて撮影された画像情報の撮影規則を検出する撮影規則検出手段
複数の画像情報に対して前記撮影規則検出手段にて検出した撮影規則が同一かどうかを判定する撮影規則判定手段
をもち、
前記複数の画像情報に対して、前記撮影日時情報判定手段、及び前記撮影規則判定手段にて判定した結果、全てまたは一部の画像情報において、前記撮影日時情報が同一または重複しており、前記撮影規則が異なる場合は前記表示手段にて前記表示部に、同一または重複する時間帯に同時に画像情報を表示しないことを特徴とする表示装置。
【請求項２】
前記撮影日時判定手段にて判定した日時情報が同一または重複しており、前記撮影規則が異なる場合でも、画像情報の優先度を判別して、異なる撮影規則を持つ画像情報の表示に切り替えることを特徴とする請求項１に記載の表示装置。
【請求項３】
前記撮影規則判定手段は、シナリオ、及び、シナリオの撮影テーマを判定することを特徴とする請求項１又は請求項２に記載の表示装置。
【請求項４】
前記表示部は外部機器であることを特徴とする請求項１乃至請求項３の何れか１項に記載の表示装置。
【請求項５】
画像表示手段は、複数の画像情報を重畳、分割して表示することを特徴とする請求項１乃至請求項４の何れか１項に記載の表示装置。
【発明の詳細な説明】
【技術分野】
【０００１】
本発明は、記録媒体に保存された、関連のある画像情報を、連携して同一表示部に表示する表示装置に関するものである。
【背景技術】
【０００２】
従来の再生装置及び再生手段には、コンテンツの再生中に複数あるコンテンツの中から、関連するコンテンツとして同時刻に撮影されたコンテンツの有無を検出して、結果をユーザーに通知し、表示中であるコンテンツの表示画面内の一部の領域に、関連のあるコンテンツを重複させて表示する従来例がある（特許文献１）。
【０００３】
しかし、特許文献１では、撮影時刻のみを用いてコンテンツの関連付けを行うので、次のような課題が存在した。再生中のコンテンツと撮影時間が重複していれば、関連の無い場所で撮影されたコンテンツが再生されてしまうこと、また再生中のコンテンツと撮影時刻が重複しているコンテンツがない場合は、撮影時刻の一番近いコンテンツを関連付けるので、例えば1年後など、撮影時刻が大きく離れているコンテンツが関連付けられてしまうことである。
【０００４】
そこで、複数の撮影機器に保存されたコンテンツから同一シーンを撮影していると予測されるコンテンツを高い精度で関連付けて再生することができる再生装置及び再生方法が提案されている（特許文献２）。
【０００５】
特許文献２は、撮影時にGPSから取得した撮影機器の位置情報、撮影機器の撮影方向情報、撮影日時情報、赤外線測距センサーやフォーカス情報から取得した被写体距離情報、を取得して撮影したコンテンツのファイルの埋め込む。埋め込んだ位置情報、撮影方向情報、撮影日時情報の各々が所定位置範囲内にあるコンテンツを関連付け、関連付けたコンテンツを再生後、特に撮影日時に重複している時間があるコンテンツ同士は、重複している時間において、表示部に同時に表示することを特徴とする再生装置及び手段である。
【先行技術文献】
【特許文献】
【０００６】
【特許文献１】特開2006-260178号公報
【特許文献２】特開2010-232853号公報
【発明の概要】
【発明が解決しようとする課題】
【０００７】
しかしながら、上記従来例では同一撮影時刻という情報のみでコンテンツ同士を関連付けていたため、以下のような問題点があった。
【０００８】
複数の撮影機器にて、撮影順序が存在する各撮影テーマから構成されたシナリオでかつ、同一のシナリオに沿ってコンテンツの撮影を行う。その後、撮影した複数のコンテンツ同士を同一撮影時刻だけで関連付けを行って、同一画面内に同時に表示する場合、異なる撮影テーマに設定されて撮影された同一撮影時刻のコンテンツ同士も同時に表示されてしまい、表示結果を視聴しているユーザーに混乱を与えるという問題点があった。
【課題を解決するための手段】
【０００９】
上記の課題を解決するため、請求項１に記載の発明は、前記撮影日時判定手段にて判定した日時情報が同一または重複しており、前記撮影規則が異なる場合でも、画像情報の優先度を判別して、異なる撮影規則を持つ画像情報の表示に切り替えることを特徴とする表示装置である。
【００１０】
請求項２に記載の発明は、前記撮影日時判定手段にて判定した日時情報が同一または重複しており、前記撮影規則が異なる場合でも、画像情報の優先度を判別して、異なる撮影規則を持つ画像情報の表示に切り替えることを特徴とする請求項１に記載の表示装置である。
【００１１】
請求項３に記載の発明は、前記撮影規則判定手段は、シナリオ、及び、シナリオの撮影テーマを判定することを特徴とする請求項１又は請求項２に記載の表示装置である。
【００１２】
請求項４に記載の発明は、前記表示部は外部機器であることを特徴とする請求項１乃至請求項３の何れか１項に記載の表示装置。
【００１３】
請求項５に記載の発明は、画像表示手段は、複数の画像情報を重畳、分割して表示することを特徴とする請求項１乃至請求項４の何れか１項に記載の表示装置である。
【発明の効果】
【００１４】
本発明によれば、複数の撮影機器で同一のシナリオに沿って撮影した複数のコンテンツに対して、同一のテーマでかつ同一撮影時刻に撮影されたコンテンツ同士のみで関連付けを行って、同一画面内に同時に表示することができ、異なる撮影テーマに設定されて撮影された同一撮影時刻のコンテンツ同士を同一画面内に同時に表示することを回避することができる表示装置を提供できる。
【図面の簡単な説明】
【００１５】
【図１】本発明を適用した第１の実施形態の概略構成を示すシステム図
【図２】本発明を適用した第１の実施形態のフォルダ構成図
【図３】本発明を適用した第１の実施形態のデータ構造図
【図４】本発明を適用した第１の実施形態のデータ構造図
【図５】本発明を適用した第１の実施形態の画面構成図
【図６】本発明を適用した第１の実施形態の処理を示すフローチャート
【図７】本発明を適用した第１の実施形態の処理の概念図
【図８】本発明を適用した第１の実施形態のデータ構造図
【図９】本発明を適用した第１の実施形態のデータ構造図
【図１０】本発明を適用した第１の実施形態のデータ構造図
【図１１】本発明を適用した第１の実施形態の処理の概念図
【図１２】本発明を適用した第１の実施形態の画面構成図
【図１３】本発明を適用した第１の実施形態の処理を示すフローチャート
【図１４】本発明を適用した第１の実施形態の画面構成図
【図１５】本発明を適用した第１の実施形態の画面構成図
【発明を実施するための形態】
【００１６】
＜第１の実施形態＞
本発明について、以下図1〜3を用いて説明する。また、映像コンテンツ表示装置の具体例としてデジタルビデオカメラを例にとって説明する。
【００１７】
図1は、本発明の実施形態に係るビデオカメラのシステム図である。
【００１８】
100はHDD（Hard Disc Drive）であり、図2のデータ構造で示される画像ファイルを記録している。Wi-Fiによる無線でのデータ通信が可能であるNAS（Network Attached Storage）であっても良い。図2については後述する。
【００１９】
101はHDDのインターフェースであり、HDD100がビデオカメラに、USBで接続される場合は、USB端子を介してデータ通信を行い、100がNASである場合は、Wi-Fiによるデータ通信にてパケットデータが送受信可能な無線モジュールを指す。本実施例では、HDD100がUSB接続される場合について説明する。
【００２０】
102は読み出し手段であり、HDD100に保存された画像ファイルの全て、または一部をSDメモリカードや内蔵メモリーに読み出し、保存する。尚、読み出し単位は図2の201示す単位で読み出しを行うが、図2の説明については後述する。また、SDメモリーカードや内蔵メモリー内の画像ファイルをCODECに出力する動作も行う。
【００２１】
103は内蔵メモリーであり、読み出し手段102によって、HDD100に記録された図2に示すデータ構造の画像ファイルを保持する。
【００２２】
104はSDメモリーカードであり、内蔵メモリー103同様、読み出し手段102によってHDD100から読みだされた画像ファイルを保持する。
【００２３】
105はSDメモリーカードインターフェースであり、読み出し手段102によってSDメモリーカードから画像ファイルを読み出す際に、SDメモリーカードと直接通信を行い、読み出し手段の要求したデータを読み出す。
【００２４】
106はCODECであり、読み出し手段102にて、HDD100、内蔵メモリー103、SDメモリーカード104からファイルとして読み出された画像ファイルに対してデマルチプレックスを行い、オーディオ圧縮データと映像圧縮データに分ける。その後、オーディオ圧縮データと映像圧縮データを各々デコードし、RAM内に一旦保存する。
【００２５】
107はRAM（Random Access Memory）であり、CPUでのデータの演算結果を保持したり、CODECにてデコードされたデータを保持する揮発性メモリである。
【００２６】
108は表示手段であり、RAM107内に保持された画像ファイルがCODEC106によってデコードされたデータを所望の表示となるように、CPUを介して表示用データを作成し、表示部109に送信する。
109は表示部であり、表示手段108から送信された表示用データを受信後、表示用データの内容に沿った表示を行う。
【００２７】
110は操作部であり、ユーザーによって操作され、ビデオカメラの起動や終了、また、表示部に表示された画像ファイルの選択を行う。
【００２８】
111はROM（Read Only Memory）であり、ビデオカメラを動作させるシステムの内容が記載されたプログラムが保存されている。ユーザーによって操作部110が操作され、ビデオカメラが起動されると、プログラムはCPUによって読み出され、実行される。
【００２９】
112はCPUであり、ROMに保存されているビデオカメラのプログラムを実行するだけでなく、システム図1を構成する各部での演算処理やRAM107に対するデータの読み込み及び書き込みを行う。
【００３０】
113は撮影日時情報判定手段であり、読み出し手段102にてHDD100から内蔵メモリー103やSDメモリーカード104に読み出された画像ファイルに対して解析を行い、解析結果を取得する。取得した解析結果から画像ファイルの撮影開始時刻と撮影終了時刻を示す撮影日時情報取得し、画像ファイル同士の撮影日時情報を比較して、撮影していた時間帯に重なる部分が存在するかどうかを判定する。撮影していた時間帯に重なる部分が見つかった場合は、比較した画像ファイル同士の関連を示す情報をRAM107に保存する。
【００３１】
114は優先度情報判定手段であり、読み出し手段102にてHDD100から内蔵メモリー103やSDメモリーカード104に読み出された画像ファイルに対して、ファイル同士の優先度情報を参照し、優先度が高低を判断して、その結果をRAM107に保存する。尚、優先度情報については図4にて説明する。
【００３２】
115は外部出力機器であり、テレビ（HighDifinition、StandardDifinition共に）やPCモニターを示す。
【００３３】
116は外部出力機器インターフェースであり、表示手段から送信される表示用データを受信後、外部出力機器115に表示用データを送信する。
【００３４】
117はビデオカメラ内のシステムバスを示しており、各部への制御信号、アドレス信号、及びデータ信号の伝送路である。
【００３５】
118はテーマ名判定手段であり、画像ファイルと関連付けられているシナリオ管理情報ファイルのテーマ名を判定する。シナリオとテーマについては、図2、4で説明する。
【００３６】
次に、図2、3について説明する。図2はHDD100に映像コンテンツがファイルとして保存された場合のHDD内のフォルダ構造を示す図である。200はHDD100のルートフォルダである。201は画像ファイルとシナリオ管理ファイルが保存されているフォルダの構造を示す図である。本実施例では、複数の撮影機器（例えば、ビデオカメラだけでなく、動画撮影機能を持ったデジタル一眼レフカメラやコンパクトデジタルカメラなど）単位で201のフォルダが保存されている場合を本実施例では想定しているが、単一の撮影機器で数回バックアップを行った場合も考えられる。
【００３７】
映像コンテンツ情報フォルダ202は、管理情報ファイル203と画像ファイル204から構成される。管理情報ファイル203は画像ファイルを管理する管理情報が記載されており、画像ファイルの内容の変更や増減にともない、更新する。205は画像ファイルをシナリオという撮影規則に基づいて関連付けるシナリオ管理ファイルが保存されているフォルダである。シナリオ管理情報ファイルの詳細を図3で説明する。
【００３８】
図3の300は各画像ファイルがどのシナリオに登録されているかを示す、シナリオ管理情報ファイルの例であり、画像ファイルと関連付けられて201のフォルダに保存されている。画像ファイルの「ファイル名」、「ファイル名」に示される画像ファイルが登録されているシナリオの「シナリオ名」、「ファイル名」に示される画像ファイルが撮影された際に設定されていた、シナリオの持つ各撮影テーマの名称を示す「テーマ名」、
「ファイル名」に示される画像ファイルが撮影された際の撮影日、撮影開始時刻及び撮影終了時刻を示す「撮影日時情報」301、
「ファイル名」に示される映像コンテンツファイルの優先度を示す「優先度情報」302から構成される。シナリオ名とテーマ名の関係については、図4で示され、「タイトルを作成」、「スケジュール紹介」、「移動中の風景」などの各テーマ401から構成される「旅行」というシナリオ400の例を示している。また、テーマ名401は最上位の項目「タイトルを作成」から下位の順にそって、ユーザーに撮影を行うように促す順番になっている。
【００３９】
また、優先度情報の具体例は302で示され、例えば、映像コンテンツファイルの「解像度」、「記録ビットレート」、「音声チャンネル数」、「記録時間」、ユーザーが撮影結果の出来栄えを評価して設定する「レーティング情報」、また、「3D表示対応の有無」が挙げられるが、これらに限定されるものではない。各優先度の高さの判定は、「解像度」については解像度が大きいもの、「記録ビットレート」についてはビットレートの数値が高いもの、「音声チャンネル」
数についてもチャンネル数が大きいもの、「記録時間」については長いもの、「レーティング情報」についてはレーティングが高いもの、以上のものが各項目について優先度が高いと考える。
【００４０】
図2、3で説明した各ファイルは、ビデオカメラだけでなく、デジタルカメラやデジタル一眼レフカメラなどの複数の撮影機器にて撮影されることを想定している。
【００４１】
次に、上記構成における本発明の実際の動作例について説明する。ユーザーによって操作部110が操作され、ビデオカメラに電源が入ることで、ROM111からビデオカメラのシステムの内容が記述されたプログラムがCPU112によって実行され、ビデオカメラが起動する。ビデオカメラ起動後、CPU112を介して、読み出し手段102がUSB端子を経由してHDD100から画像ファイルを、内蔵メモリー103に読み出す。内蔵メモリー103に読み出された画像ファイルの中から、表示手段108によって、各シナリオに登録された先頭の画像ファイルが検索される。検索結果は表示手段108によって、一旦RAM107に保存される。
【００４２】
ここでの先頭の映像コンテンツとは、シナリオの撮影順番という観点で撮影テーマにて最初に撮影された映像コンテンツを示すが、これに限定されるわけではない。表示手段108は、検索した画像ファイルをCODEC106に送信し、RAM107に保存された画像ファイルをCPU112を介して、検索した各映像コンテンツファイルのサムネイルを作成する。さらに、表示手段108は作成されたサムネイルから、CPU107を介して図5のような画面情報500を作成し、表示部109に送信することで表示される。501は作成されたサムネイルを表す。
【００４３】
次に、ユーザーによって操作手段110から画面情報500上のサムネイル501が選択され、サムネイル501が作成された元となる画像ファイルが登録されたシナリオが、シナリオ管理情報フォルダ205に保存されたシナリオ管理情報ファイルから検出され、検出されたシナリオ名に登録される画像ファイル全てがCODEC107によって再生され、表示部109に表示されるまでの一連の処理の流れを、図6〜9を用いて説明する。
【００４４】
図6は処理の流れを示すフローチャート図である。図7は画像ファイル同士の撮影時刻の関連を説明するための図である。横軸は撮影時刻を示し、矢印は撮影時刻が経過していく方向を意味している。また、700〜703は任意の画像ファイルA〜Dを示しており以下の説明中で具体例を説明する。T0〜T4は各々撮影時刻を示している。画像ファイルAの撮影開始時刻がT0、撮影終了時刻がT4、また、画像ファイルBの撮影終了時刻がT1、画像ファイルCの撮影開始時刻がT2、撮影終了時刻がT3、画像ファイルCの撮影開始時刻がT3、撮影終了時刻がT4である。
【００４５】
図6において、丸付き数字１（以下、（１）と記す）は、画像ファイルAの撮影開始時刻T0よりも、画像ファイルCの撮影開始時刻T2が後（T0≦T2）、また、画像ファイルAの撮影終了時刻T4よりも画像ファイルCの撮影終了時刻T3が前（T3≦T4）である。丸付き数字２（以下、（２）と記す）は、画像ファイルAの撮影開始時刻T0が画像ファイルBの撮影終了時刻T1よりも前（T0≦T1）、丸付き数字３（以下、（３）と記す）は、画像ファイルAの撮影終了時刻T4が画像ファイルDの開始時刻T3よりもあと（T3≦T4）であることを示している。
【００４６】
図8は、図2の映像コンテンツ情報フォルダ202に記録された画像ファイルと対応付けられた、シナリオ管理情報ファイル300の例である。801は画像ファイル1がシナリオ名「旅行」で登録され、シナリオ名「旅行」で撮影したときのテーマ名が「タイトルを作成」、また撮影時の撮影開始及び終了時刻である「撮影日時情報」、6つの「優先度情報」302から構成されていることを示している。図9も図8同様に、シナリオ管理情報ファイルの例である。
【００４７】
撮影日時判定手段113がサムネイル501が作成される元となった画像ファイルを、RAM107に保存された内容から特定し、特定された画像ファイルと関連して保存されているシナリオ管理情報ファイル300を解析する。解析後、シナリオ管理情報ファイル300から撮影日時情報301、シナリオ名、テーマ名を取得してRAM107に保存する。具体例としては、サムネイル501が作成される元となった映像コンテンツファイルが、図2、図8に示す画像ファイル1であった場合について説明する。画像ファイル1と関連して保存されているシナリオ管理情報ファイル800の中の、801という情報に記載されている、シナリオ名「旅行」、撮影日時情報である「撮影日：2010/10/11、撮影開始時刻：10:00:00、撮影終了時刻：10:20:00」、テーマ名「タイトルを作成」をRAM107に保存する。
【００４８】
一方で、内蔵メモリー103に保存されている、他の画像ファイルのシナリオ管理情報ファイル300を参照し（S600、S601）、シナリオ名及び撮影日時情報301が保持する撮影日が画像ファイル1の該当する情報と一致し（S602）、撮影開始時刻が以下の図7を用いてい説明される、少なくとも1つの条件に一致する画像ファイルを検索する。
【００４９】
つまり、図7の映像コンテンツAは映像コンテンツファイル1、映像コンテンツB〜Dは、映像コンテンツファイル1以外の上記検索対象の映像コンテンツファイルである場合、
（１）RAM107に保存されている画像ファイル1（図2、図8）の撮影日時情報301の撮影開始時刻よりも後であり、かつ、撮影終了時刻よりも前である（S603）。
【００５０】
（２）RAM107に保存されている画像ファイル1の撮影日時情報301の撮影終了時刻よりも前である（S604）。
【００５１】
さらに、撮影終了時刻が、
（３）RAM107に保存されている画像ファイル1の撮影日時情報301の撮影開始時刻よりも後である（S605）。
【００５２】
上記検索によって、上記（１）〜（３）に該当しない場合は、RAM107に保存されている画像ファイル1の再生を行う（S606）。（１）に該当する例としては、画像ファイル1に対して、図9に示される画像ファイル01の撮影日時情報901が上記（１）の条件に一致する。すなわち、画像ファイル01のシナリオ管理情報は、シナリオ管理情報ファイル900に901として記載されており、シナリオ名が画像ファイル1801に一致し、撮影開始時刻及び撮影終了時刻ともに、画像ファイル1の撮影日時情報に対して（１）の条件を満たしている（801、901）。
【００５３】
上記（１）〜（３）のいずかの条件を満たす画像ファイルを検索完了後、検索された画像ファイルを、対応するシナリオ管理情報ファイルとともにRAM107に保存する。テーマ名判定手段118にて、RAM107に保存された画像ファイル1のシナリオ管理情報ファイルのテーマ名と、内蔵メモリー103に保存されている画像ファイル1以外画像ファイルのシナリオ管理情報ファイル300に記録されたテーマ名が、一致するかどうかの判定を行う（S606）。一致するテーマ名を持つシナリオ管理情報ファイル300が無い場合は、表示手段108からCODEC106に映像コンテンツファイル1を送信し、再生して、再生済みのデータを表示部に送信することで表示を行う（S607）。また、一致するテーマ名を持つシナリオ管理情報ファイル300が存在した場合は、一致するテーマ名を持つシナリオ管理情報ファイルと、関連して保存されている映像コンテンツファイルをRAM107に保存して、映像コンテンツ1を表示する際に使用する（S608）。
【００５４】
実際の表示の流れについては、図8〜11を用いて説明する。
【００５５】
図10は、図8、9同様、内蔵メモリー103内に保存された画像ファイルに関連して保存あれているシナリオ管理情報ファイル300の例である。図11は、ユーザーに操作部によって選択された画像ファイルを再生する際の、時間軸に沿った再生方法を示す図である。上記同様、ユーザーに画像ファイル1（図11では1101）が選択された場合を考慮する。RAM107上には、撮影日時情報判定手段113、テーマ名判定手段118により、画像ファイル1とシナリオ名、テーマ名、上記（１）の条件を満たす画像ファイル01が保存されている。表示手段108によって、表示動作を開始すると、RAM上に保存された画像ファイル1をCODEC106に送信し、デマルチプレックス及びデコード動作を行って、オーディオ信号および映像信号を表示装置に送信後、時刻T0から表示部に表示される。
【００５６】
さらに、RAM107上の画像ファイル01（1102）が満たす上記（１）の条件を確認し、画像ファイル1の表示中に、画像ファイル01の撮影開始時刻が近づくと、画像ファイル01も同様にCODEC106を介して、表示部に送信し、現在表示中の画像ファイル1のオーディオ信号と映像信号に対して、時刻T1からT3の間は、画像ファイル01のオーディオ信号と映像信号を同時に表示部に表示する。同時に表示する方法としては、重畳して表示する方法が一例として挙げられる。表示結果は図12で示される。1200が画像ファイル1の表示結果であり、重畳されて表示されている1201は画像ファイル01の表示結果である。
【００５７】
本実施例では、重畳表示の方法としてPIP（Picture In Picture）の例を示しているが、これに限定されるわけではない。尚、重畳する際に、どの画像ファイルを小画面または主画面で表示するかの選択は、各画像ファイルに関連付けられて保存される、シナリオ管理情報ファイル300の優先度情報302によって自動で選択される。その選択方法を図13を用いて説明する。優先度情報判定手段114にて、RAM107上の画像ファイル01に関連付けられたシナリオ管理情報ファイル300を参照する（S1300）。
【００５８】
各シナリオ管理情報ファイルの優先度情報302を参照し、優先度情報302に記録されている、各項目の内容を各シナリオ管理情報同士で比較し（S1301）、最も優先度の高い項目の項目総数もつシナリオ管理情報ファイル300と関連付けられた、画像ファイルに、主画面表示を行う旨の情報をRAM107上に保存する（S1302）。RAM107に保存された、上記主画面表示情報を表示手段108はRAM107から参照し、複数の画像ファイルを重畳表示する際に、主画面表示を参照して画像ファイルを主画面表示し（S1303）、その他の画像ファイルを子画面表示で表示部に表示する（S1304）。また、優先度情報判定手段114にて、複数のシナリオ管理情報ファイル同士で、優先度の高い項目の項目総数が一致した場合は、画面を二分割して表示する（S1305）。
【００５９】
ただし、分割表示以外に、ユーザーに選択された映像コンテンツファイルを主画面または子画面として、重畳表示としたり、ユーザーに選択された映像コンテンツファイルのみを優先して主画面表示することも考えられる。図11のT2からT3までの時間帯は、画像ファイル01と画像ファイル001も、上記（３）の条件を満たし、同時に表示を行う対象となるが、図9、10の901と1001のテーマ名が異なるため、重畳表示は行わず、画像ファイル1（1101）の表示のみを行う。また、T3からT4までの時間帯も、画像ファイル01と画像ファイル001において、上記（３）の条件を満たすが、図8の801と図10の1001のテーマ名が異なるため、図13のように画像ファイル1だけを主画面表示する（S1300）。以上まとめると、画像ファイル1が図14の1400、画像ファイル01が図15の1500である場合、図11において、時刻T0からT1までは画像ファイル1（1400）のみ表示部に表示（1104）、時刻T1から時刻T3までは画像ファイル1に画像ファイル01を重畳して表示、時刻T3から時刻T4までは画像ファイル1（1400）を表示（1106）する。
【００６０】
ただし、図8〜10の例から、時刻T0は10:00:00、時刻T1は10:10:00、時刻T2は10:13:00、時刻T3は10:15:00、時刻T4は10:20:00である。
【００６１】
尚、本実施例ではHDD100から内蔵メモリーに読み出し手段102で、画像ファイルを読み出したが、HDDインターフェース101を介して、HDD100から直接映像コンテンツデータをRAM107に読み出して、実施しても良い。
【００６２】
＜第２の実施形態＞
本発明について、図11を用いて説明する。
【００６３】
本発明のシステム図は第１の実施の形態と同様であるので、説明を省略する。図11において、T2からT3までの時間帯は、映像コンテンツファイル01と関連付けて保存されたシナリオ管理情報ファイル図9における901と、映像コンテンツファイル001と関連付けて保存されたシナリオ管理情報ファイル図10における1001のテーマ名が異なるため、表示部109に同時に表示を行わない例を第１の実施例で示した。しかし、ユーザーが映像コンテンツファイル01の表示内容の中で、時刻T2以前に、所望の被写体の表示を目視確認してしまった場合、ユーザーによる操作手段110の操作によって、表示部110の表示内容を映像コンテンツファイル001の表示内容に変更しても良い。
【００６４】
表示内容を変更する際は、優先度情報判定手段114にて、RAM107上の各シナリオ管理情報ファイルの優先度情報を参照し、優先度情報に記録されている、各項目の内容を各シナリオ管理情報同士で比較して、最も優先度の高い項目の項目総数もつシナリオ管理情報ファイルと関連付けられた、映像コンテンツファイルを表示手段108によって表示部109に送信後、表示部に表示する、表示内容の切り替えを行う。
【００６５】
以上、本発明をその好適な実施形態に基づいて詳述してきたが、本発明はこれら特定の実施形態に限られるものではなく、この発明の要旨を逸脱しない範囲の様々な形態も本発明に含まれる。上述の実施形態の一部を適宜組み合わせてもよい。
【符号の説明】
【００６６】
100  HDD（Hard Disc Drive）
101  HDDのインターフェース
【図１】
2012156756.tif 000003
【図２】
2012156756.tif 000004
【図３】
2012156756.tif 000005
【図４】
2012156756.tif 000006
【図５】
2012156756.tif 000007
【図６】
2012156756.tif 000008
【図７】
2012156756.tif 000009
【図８】
2012156756.tif 000010
【図９】
2012156756.tif 000011
【図１０】
2012156756.tif 000012
【図１１】
2012156756.tif 000013
【図１２】
2012156756.tif 000014
【図１３】
2012156756.tif 000015
【図１４】
2012156756.tif 000016
【図１５】
2012156756.tif 000017